(57)【要約】【課題】本発明は、ブラインポンプ停止後においても熱負荷内の流路に予圧設定圧力を保持し、次回動作時の熱負荷の損傷等を防止することを目的とする。【解決手段】本発明による冷却装置は、熱負荷(21)に接続された往路配管(20)と復路配管(23)に往路電磁弁(30)と復路電磁弁(31)を設け、ブラインポンプ(15)の作動中に往路電磁弁(30)を閉弁すると共に前記復路電磁弁(31)を閉弁することにより、往路電磁弁(30)から熱負荷(21)及び復路電磁弁(31)迄の流路(40)には、ブラインの予圧設定圧力が保持される構成である。【選択図】図１
2009115361.tif 000002
【特許請求の範囲】
【請求項１】
リザーバタンク(1)と熱負荷(21)との間を往路配管(20)と復路配管(23)で接続し、前記往路配管(20)にブライン(2)を供給するためのブラインポンプ(15)を設け、前記熱負荷(21)とブライン(2)との熱交換を行うようにした冷却装置において、
前記往路配管(20)の前記ブラインポンプ(15)と熱負荷(21)との間に設けられた往路電磁弁(30)と、前記復路配管(23)に設けられた復路電磁弁(31)と、を備え、
前記ブラインポンプ(15)作動中に前記往路電磁弁(30)を閉弁すると共に、前記復路電磁弁(31)を閉弁することにより、前記往路電磁弁(30)から熱負荷(21)及び前記復路電磁弁(31)までの流路(40)には、前記ブライン(2)の予圧設定圧力が保持されることを特徴とする冷却装置。
【請求項２】
前記熱負荷(21)はアキュムレータ(22)を有し、前記往路電磁弁(30)と熱負荷(21)との間には供給側圧力計(P1)が設けられ、前記熱負荷(21)と復路電磁弁(31)との間には戻り側圧力計(P2)が設けられていることを特徴とする請求項１記載の冷却装置。
【発明の詳細な説明】
【技術分野】
【０００１】
本発明は、冷却装置に関し、特に、往路配管と復路配管に電磁弁を設け、各電磁弁の閉弁により、ブラインポンプ停止後においても熱負荷内の流路に予圧設定圧力を保持し、次回動作時の安全性を保持するための新規な改良に関する。
【背景技術】
【０００２】
従来、用いられていたこの種の冷却装置としては、社内製作のみで特許出願等を行なっていないため、特許文献等は開示していないが、図２に示す構成を挙げることができる。
すなわち、図２において符号１で示されるものはリザーバタンクであり、このリザーバタンク１内のブライン２は、冷凍機３に接続されたコイル４により冷却されるように構成されている。
また、前記リザーバタンク１内は攪拌機５によって攪拌され、温度検出器６により検出された温度６ａに基づいて温度指示調節計Ｔ１が前記冷凍機３の動作を制御し、前記冷凍機３からの冷媒は圧力調整弁７、冷凍機電磁弁８及び膨張弁９を経て前記コイル４に供給される。
【０００３】
前記リザーバタンク１内のブライン２は、バルブ１０、電磁弁１１、温度検出器１２、バルブ１３及び供給側圧力計Ｐ１並びに三方弁１４、ブラインポンプ１５、バルブ１６及びヒータ１７を備えた往路配管２０を介してアキュムレータ２２を有する熱交換対象の熱負荷２１に供給される。
【０００４】
前記熱負荷２１に接続され前記リザーバタンク１に接続された復路配管２３には、戻り側圧力計Ｐ２、バルブ２４、流量計Ｒ１及び戻り側温度計Ｔ４が設けられ、前記熱負荷２１からのブライン２は復路配管２３を経て前記リザーバタンク１に戻される。
また、往路配管２０の途中位置に接続された圧力リリーフバルブ２５は前記リザーバタンク１に接続されている。
従って、前述の従来構成において、前記リザーバタンク１内のブライン２はブラインポンプ１５により往路配管２０を介して熱負荷２１に供給され、このブライン２は復路配管２３を介して前記リザーバタンク１に戻されることにより、熱負荷２１では熱交換が行われる。
【発明の開示】
【発明が解決しようとする課題】
【０００５】
従来の冷却装置は、以上のように構成されていたため、次のような課題が存在していた。
すなわち、前述の従来構成において、前記ブラインを熱負荷に連続供給して熱負荷の熱交換を行っている状態において、ブラインポンプの動作を停止させると、熱負荷内のブラインの圧力も急降下し、熱負荷内のアキュムレータ内の圧力もなくなるため、次回の動作を開始すると、アキュムレータに急激に圧力負荷がかかり、アキュムレータを含む熱負荷系の故障発生となる可能性が存在していた。
【課題を解決するための手段】
【０００６】
本発明による冷却装置は、リザーバタンクと熱負荷との間を往路配管と復路配管で接続し、前記往路配管にブラインを供給するためのブラインポンプを設け、前記熱負荷とブラインとの熱交換を行うようにした冷却装置において、前記往路配管の前記ブラインポンプと熱負荷との間に設けられた往路電磁弁と、前記復路配管に設けられた復路電磁弁と、を備え、前記ブラインポンプ作動中に前記往路電磁弁を閉弁すると共に、前記復路電磁弁を閉弁することにより、前記往路電磁弁から熱負荷及び前記復路電磁弁までの流路には、前記ブラインの予圧設定圧力が保持される構成であり、また、前記熱負荷はアキュムレータを有し、前記往路電磁弁と熱負荷との間には供給側圧力計が設けられ、前記熱負荷と復路電磁弁との間には戻り側圧力計が設けられている構成である。
【発明の効果】
【０００７】
本発明による冷却装置は、以上のように構成されているため、次のような効果を得ることができる。
すなわち、熱負荷とブラインポンプ間及び熱負荷とリザーバタンク間に、電磁弁を設け、ブラインポンプ作動中に電磁弁を閉弁し、アキュムレータを有する熱負荷を含む各電磁弁間の流路には、ブラインの予圧設定圧力が保持されるため、次に、ブラインポンプの動作を再起動させた場合、前記アキュムレータ等に従来のような急激な大圧力がかかることはなく、アキュムレータを含む熱負荷系の損傷を防止し、安全で信頼性の高い冷却装置を得ることができる。
【発明を実施するための最良の形態】
【０００８】
本発明は、往路配管と復路配管に電磁弁を設け、各電磁弁の閉弁により、ブラインポンプ停止後においても熱負荷内の流路に予圧設定圧力を保持し、次回動作時の安全性を保持するようにした冷却装置を提供することを目的とする。
【実施例】
【０００９】
以下、図面と共に本発明による冷却装置の好適な実施の形態について説明する。
尚、従来例と同一又は同等部分には同一符号を付して説明する。
図１において符号１で示されるものはリザーバタンクであり、このリザーバタンク１内のブライン２は、冷凍機３に接続されたコイル４により冷却されるように構成されている。
また、前記リザーバタンク１内は攪拌機５によって攪拌され、温度検出器６により検出された温度６ａに基づいて温度指示調節計Ｔ１が前記冷凍機３の動作を制御し、前記冷凍機３からの冷媒は圧力調整弁７、冷凍機電磁弁８及び膨張弁９を経て前記コイル４に供給される。
【００１０】
前記リザーバタンク１内のブライン２は、バルブ１０、電磁弁１１、温度検出器１２、往路電磁弁３０、バルブ１３及び供給側圧力計Ｐ１並びに三方弁１４、ブラインポンプ１５、バルブ１６及びヒータ１７を備えた往路配管２０を介してアキュムレータ２２を有する熱交換対象の熱負荷２１に供給される。尚、前記三方弁１４は、供給側温度計Ｔ３からの検出温度により供給側温度指示調節計Ｔ２により作動が制御される。
【００１１】
前記熱負荷２１に接続され前記リザーバタンク１に接続された復路配管２３には、戻り側圧力計Ｐ２、バルブ２４、復路電磁弁３１、流量計Ｒ１及び戻り側温度計Ｔ４が設けられ、前記熱負荷２１からのブライン２は前記復路配管２３を経て前記リザーバタンク１に戻される。
【００１２】
前記往路配管２０の途中位置に接続された圧力リリーフバルブ２５は前記リザーバタンク１に接続されている。
また、前述の往路電磁弁３０から熱負荷２１迄の往路配管２０と、前記熱負荷２１から前記復路電磁弁３１迄の復路配管２３とは、一点鎖線で示されるように連続した状態の流路４０を構成している。
【００１３】
従って、前述の従来構成において、前記リザーバタンク１内のブライン２は、ブラインポンプ１５により往路配管２０を介して熱負荷２１に供給され、このブライン２は復路配管２３を介して前記リザーバタンク１に戻されることにより、熱負荷２１ではブライン２による熱交換が行われて冷却が行なわれる。
【００１４】
前述の冷却動作において、前記ブラインポンプ作動中に、前記往路電磁弁３０を閉弁すると共に、前記復路電磁弁３１を閉弁することにより、前記往路電磁弁３０から熱負荷２１及び前記復路電磁弁３１までの前記流路４０には、前記ブライン２の予圧設定圧力が保持される。
従って、次に、ブラインポンプ１５を再起動させた場合に、前記熱負荷２１のアキュムレータ２２等にブライン２による圧力が付加されたとしても、前述のように、流路４０に予圧設定圧力が加えられているため、従来のように空状態の熱負荷２１に対して高圧のブライン２が急激に付加されることはなく、熱負荷２１の損傷等を防止することができる。
【図面の簡単な説明】
【００１５】
【図１】本発明による冷却装置を示す構成図である。
【図２】従来の冷却装置を示す構成図である。
【符号の説明】
【００１６】
１    リザーバタンク
２    ブライン
３    冷凍機
４    コイル
５    攪拌機
６    温度検出器
７    圧力調整弁
８    冷凍機電磁弁
９    膨張弁
１０    バルブ
１１    電磁弁
１２    温度検出器
１３    バルブ
１４    三方弁
１５    ブラインポンプ
１６    バルブ
１７    ヒータ
２０    往路配管
２１    熱負荷
２２    アキュムレータ
２３    復路配管
２４    バルブ
３０    往路電磁弁
３１    復路電磁弁
Ｔ１    温度指示調節計
Ｔ２    供給側温度指示調節計
Ｔ３    供給側温度計
Ｔ４    戻り側温度計
Ｐ１    供給側圧力計
Ｐ２    戻り側圧力計
Ｒ１    流量計
【図１】
2009115361.tif 000003
【図２】
2009115361.tif 000004